(57)【要約】【課題】通常の配管洗浄方法で、良好に給水口までの全ての配管を洗浄することができ、また、ユニットバスの工事範囲内で給水口を施工できる浴室装置を提供する。【解決手段】浴槽２内の残り湯を吸引できる取水口３と、この取水口３と追焚き機能付き給湯器５を繋ぐ、往復の配管９ａ，９ｂ，１０にて構成された循環経路８を備え、この循環経路８の途中に、浴室１に隣接する洗濯室６に開口する給水口７を設けて構成する。【選択図】図１
2004197299.tif 000002
【特許請求の範囲】
【請求項１】
浴槽内の残り湯を吸引できる取水口と、該取水口と追焚き可能な給湯器を繋ぐ往復の配管にて構成された循環経路を備え、該循環経路の途中に、浴室に隣接する洗濯室に開口する給水口を設けたことを特徴とする浴室装置。
【請求項２】
前記給水口を、浴室と洗濯室を繋ぐ部分に設けられたドア部材に設けたことを特徴とする請求項１に記載の浴室装置。
【請求項３】
前記給水口を、浴室ドアの側面に取り付け可能な別体のドア横パネルに設けたことを特徴とする請求項１に記載の浴室装置。
【発明の詳細な説明】
【０００１】
【発明の属する技術分野】
この発明は、浴槽の残り湯を、洗濯の洗い水として再利用することのできる浴室装置に関するものである。
【０００２】
【従来の技術及び発明が解決しようとする課題】
従来、特許文献１に開示されているように、浴槽内の残り湯を、追焚き用の循環配管から分岐した排水管を用いて、浴室の隣室の洗濯室まで導く方法があるが、このような方法では、循環配管から分岐した以降の排水管内の汚れを洗浄する方法がなく、そのため、分岐した排水管等の部材を定期的に交換するなどの必要があった。
また、特許文献２に開示されているように、洗濯室の壁面に、浴室内の浴槽からの残り湯を取り出すための給水口を設ける場合には、給水口の工事が、浴室工事とは別途工事となり、別業者が行なうこととなり、漏水などの問題が発生した時の責任区分が不明確になってしまうという問題点があった。
【０００３】
【特許文献１】
特開２００２−１６１５５７号公報
【特許文献２】
特開平８−２８０９８５号公報
【０００４】
【課題を解決するための手段】
本発明は上記従来の問題点に鑑み案出したものであって、浴槽内の残り湯を良好に隣接する洗濯室側へ供給することができるとともに、配管内を良好に洗浄することができ、また、浴室工事の範囲内で給水口の工事が行なえる浴室装置を提供せんことを目的とし、その第１の要旨は、浴槽内の残り湯を吸引できる取水口と、該取水口と追焚き可能な給湯器を繋ぐ往復の配管にて構成された循環経路を備え、該循環経路の途中に、浴室に隣接する洗濯室に開口する給水口を設けたことである。
また、第２の要旨は、前記給水口を、浴室と洗濯室を繋ぐ部分に設けられたドア部材に設けたことである。
また、第３の要旨は、前記給水口を、浴室ドアの側面に取り付け可能な別体のドア横パネルに設けたことである。
【０００５】
【発明の実施の形態】
以下、本発明の実施例を図面に基づいて説明する。
図１は、浴槽の残り湯を取り出す配管構造を示す断面構成図であり、壁１ａ，１ａで囲まれた浴室１内には浴槽２が設置されており、この浴槽２の側壁面には、浴槽２内の残り湯を取り出すための取水口３が設けられている。
この取水口３は、建物壁４の屋外に設置された追焚き機能付き給湯器５に繋がれており、また、浴室１と隣接する洗濯室６の壁６ａに取り付けられた給水口７にも繋がれている。即ち、取水口３と追焚き機能付き給湯器５と給水口７間は往復の配管で構成された循環経路８で繋がれている。
【０００６】
この配管構造を詳しく説明すると、図１及び図３の拡大構成図で示すように、取水口３には、循環経路８を構成する吸引往路配管９ａと復路配管１０が接続されており、復路配管１０は取水口３と追焚き機能付き給湯器５間に繋がれており、取水口３から引き出された吸引往路配管９ａは、分岐部８ａで折曲されて、浴槽２の底側を通って給水口７に接続されており、また、給水口７からは戻り往路配管９ｂが引き出されて、この戻り往路配管９ｂは、分岐部８ａを通り追焚き機能付き給湯器５に接続されている。即ち、復路配管１０は１本の配管で構成されているが、往路配管は行き戻りの２本の吸引往路配管９ａと戻り往路配管９ｂで構成されている。
なお、図４には、取水口３と追焚き機能付き給湯器５を繋ぐ、従来の往路配管９と復路配管１０を示しているが、本例では、この往路配管９が、行き戻りの２本の配管９ａ，９ｂで構成されたものである。
【０００７】
また、図５には、給水口７の拡大断面構成図を示す。
この給水口７は、洗濯室６側に開口しており、図２に示すように、洗濯室６側から、洗濯機１４の給水ホース１５の先端のカプラなどを、この給水口７に挿入して接続できるものであり、給水口７の内部には、カプラなどが挿入接続された時に開放される止水弁１１が設けられており、カプラなどが抜き取られた時には、この止水弁１１により給水口７が閉じられて、洗濯室６への漏水が防がれるように構成されている。
【０００８】
このような構成では、追焚き機能付き給湯器５の追焚きポンプが作動されると、浴槽２内の残り湯が取水口３から吸引往路配管９ａ内に吸い出され、給水口７に残り湯が供給されるものであるが、止水弁１１が閉じている状態では、残り湯は戻り往路配管９ｂに戻されて、戻り往路配管９ｂを通って残り湯は追焚き機能付き給湯器５内に入り、さらに復路配管１０を通って取水口３に戻され循環されるものであり、例えば、市販されている風呂釜洗浄剤を浴槽２内の残り湯に入れて、追焚き機能付き給湯器５の追焚きポンプを作動させて、洗浄剤を吸引往路配管９ａから給水口７を通し、戻り往路配管９ｂを通して、さらに復路配管１０を通して循環させることができ、洗浄剤により給水口７に至るまでの配管内を全て良好に洗浄できるものとなり、従来のように、分岐部８ａから給水口７までの配管を定期的に交換したりする必要がなく、定期的に風呂釜洗浄剤を用いて良好に配管の洗浄が可能となる。
【０００９】
なお、図２では、浴室１に出入りするための引き戸１３ａのドア枠に一体化されたドア一体パネル１３に給水口７を取り付けたものである。
なお、図６には、開き戸１３ｂのドア枠に一体化されたドア一体パネル１３に給水口７を取り付けた浴室の平面構成図を示す。
このドア一体パネル１３に取り付けた給水口７には、洗濯室６内に設置された吸水ポンプ内蔵の洗濯機１４の給水ホース１５の先端を挿着して、洗濯機１４の吸水ポンプを作動させ、良好に給水口７から洗濯機給水ホース１５を通し洗濯機１４内に残り湯を入れて、残り湯で洗濯を行なうことができるものである。
【００１０】
このように、浴室を構成するドアに一体化されたパネル１３に給水口７を取り付ける構成としておけば、浴室を施工するユニットバス業者の工事の範囲内で給水口７の取り付けが行なわれるために、ユニットバス工事業者が給水口７までの配管等の工事の責任を持つこととなり、責任区分が明確となる。
即ち、洗濯室６は別の業者により施工されるものであるため、洗濯室壁６ａに給水口７を取り付けるような構造では、別業者の仕事となり、責任区分が不明確となってしまうのである。
【００１１】
なお、ドアの位置が異なる図７の平面図で示すような浴室においては、吸引往路配管９ａ及び戻り往路配管９ｂは、洗い場の床下に配管して給水口７に接続することができ、給水口７はドア一体パネル１３に取り付けて、ユニットバス業者の工事範囲内で給水口７を設置することができるものである。
【００１２】
なお、ドアの側面に取り付け可能な別体のドア横パネル１６を用いて、図８の平面図で示すように、この別体のドア横パネル１６に給水口７を取り付けるように構成しても良い。
図８では、片引き戸１７を用いた例を示している。
なお、ドア横パネル１６及び給水口７はユニットバス業者により施工されるが、その後に木枠１８が別の業者により設置されて、この木枠１８に対し洗濯室壁６ａが設けられて、洗濯室が別業者により施工されるものである。
このようにドア本体とは別体のドア横パネル１６を用いる場合には、ドア横パネル１６は別体であるため、あらゆるドア（折り戸，親子開き戸，片引き戸，三枚引き戸等）に対応できるものとなる。
【００１３】
【発明の効果】
本発明の浴室装置は、浴槽内の残り湯を吸引できる取水口と、取水口と追焚き可能な給湯器を繋ぐ往復の配管にて構成された循環経路を備え、循環経路の途中に、浴室に隣接する洗濯室に開口する給水口を設けたことにより、追焚き用の循環配管経路の途中に給水口が設けられているため、通常の配管洗浄方法にて給水口までの全ての配管内を良好に洗浄することができるものとなる。
また、給水口以降の配管は洗濯機などの付属ホースとなり、給水口から容易にホースは取り外してメンテンスすることが可能である。
【００１４】
また、給水口を、浴室と洗濯室を繋ぐ部分に設けられたドア部材に設けたことにより、給水口は浴室の工事範囲内で施工されるドアに設けられるため、給水口の取り付け工事を浴室工事業者の工事範囲内で実施することができ、責任区分が明確となる効果を有する。
【００１５】
また、給水口を、浴室ドアの側面に取り付け可能な別体のドア横パネルに設けたことにより、浴室工事業者によるドア工事の時に、ドア横パネルと共に給水口の取り付け工事が可能であり、責任区分が明確になり、また、ドア横パネルはドア本体とは別体のために、あらゆるドアに対応して給水口の取り付けが可能となる効果を有する。
【図面の簡単な説明】
【図１】取水口と給水口間の配管構造を示す浴室の縦断面構成図である。
【図２】浴室のドアに一体化されたパネルに給水口を取り付けた状態の洗濯室側からの斜視構成図である。
【図３】取水口周辺の配管構造を示す拡大構成図である。
【図４】従来の取水口周辺の配管構造の概略構成図である。
【図５】給水口の断面拡大概略構成図である。
【図６】ドア一体パネルに給水口を取り付けた浴室の平面構成図である。
【図７】ドアの配置位置が異なる浴室の平面構成図である。
【図８】別体のドア横パネルに給水口を取り付けた浴室の平面構成図である。
【符号の説明】
１  浴室
１ａ  浴室壁
２  浴槽
３  取水口
４  建物壁
５  追焚き機能付き給湯器
６  洗濯室
６ａ  洗濯室壁
７  給水口
８  循環経路
８ａ  分岐部
９ａ  吸引往路配管
９ｂ  戻り往路配管
１０  復路配管
１１  止水弁
１３  ドア一体パネル
１３ａ  引き戸
１３ｂ  開き戸
１４  吸水ポンプ内蔵の洗濯機
１５  洗濯機給水ホース
１６  ドア横パネル
１７  片開き戸
１８  木枠
【図１】
2004197299.tif 000003
【図２】
2004197299.tif 000004
【図３】
2004197299.tif 000005
【図４】
2004197299.tif 000006
【図５】
2004197299.tif 000007
【図６】
2004197299.tif 000008
【図７】
2004197299.tif 000009
【図８】
2004197299.tif 000010